(57)【要約】【課題】クレセント錠を容易に解錠することができる解錠工具を提供する。【解決手段】解錠工具１１は、軸１２と軸１３と変換部１４と解錠部１６とを備える。変換部１４は、軸１２が回転すると、軸１２の回転方向に応じた方向に軸１３を回転させる。解錠部１６は、軸１３の端部に設けられる。解錠部１６は押付部１６ａを備える。押付部１６ａは、軸１３がクレセント錠１０の回転軸１０ａに合わせて配置された状態で軸１３が第１方向に回転すると、クレセント錠１０の操作部１０ｃをクレセント錠１０が解錠する方向に押し付ける。【選択図】図７
2016044389.tif 000002
【特許請求の範囲】
【請求項１】
第１軸と、
前記第１軸に対して斜め又は直角に配置された第２軸と、
前記第１軸が回転すると、前記第１軸の回転方向に応じた方向に前記第２軸を回転させる変換手段と、
前記第２軸の端部に設けられた解錠手段と、
を備え、
前記解錠手段は、前記第２軸が回転すると前記第２軸を中心に回転する第１押付部を備え、
前記第１押付部は、前記第２軸がクレセント錠の回転軸に合わせて配置された状態で前記第２軸が第１方向に回転すると、前記クレセント錠の操作部を前記クレセント錠が解錠する方向に押し付ける
解錠工具。
【請求項２】
前記解錠手段は、前記第２軸が回転すると前記第２軸を中心に回転する第２押付部を更に備え、
前記第２押付部は、前記第２軸が前記クレセント錠の回転軸に合わせて配置された状態で、前記第１押付部が対向する方向とは反対の方向から前記クレセント錠の操作部に対向する請求項１に記載の解錠工具。
【請求項３】
前記第２押付部は、前記第２軸が前記クレセント錠の回転軸に合わせて配置された状態で前記第２軸が前記第１方向とは反対の第２方向に回転すると、前記クレセント錠の操作部を前記クレセント錠が施錠する方向に押し付ける請求項２に記載の解錠工具。
【請求項４】
前記第２軸の端部に着脱可能なフィルタ引出具と、
を更に備え、
前記解錠手段は、前記第２軸の端部に着脱可能に設けられ、
前記フィルタ引出具は、端部が先細状又は鉤状を呈する
請求項１から請求項３の何れか一項に記載の解錠工具。
【請求項５】
前記解錠手段は、前記第２軸の端部に着脱可能に設けられ、
前記第２軸は、端部が先細状又は鉤状を呈する
請求項１から請求項３の何れか一項に記載の解錠工具。
【発明の詳細な説明】
【技術分野】
【０００１】
この発明は、クレセント錠を解錠する際に用いられる工具に関する。
【背景技術】
【０００２】
オフィスビル等では、空調のためのダクトが天井裏に設置される。ダクトの内部には、予め定められた部位にフィルタが設けられる。このフィルタは、定期的に交換される必要がある。例えば、保守員は、天井に形成された点検口からフィルタの交換作業を行う。
【０００３】
特許文献１に、天井裏に設置される空調機の例が記載されている。特許文献１に記載された空調機では、フィルタを下方に引き出し、フィルタボックスからフィルタを取り出している。
【先行技術文献】
【特許文献】
【０００４】
【特許文献１】特開平７−３５４０４号公報
【発明の概要】
【発明が解決しようとする課題】
【０００５】
ダクトには、フィルタを出し入れするための開口が形成される。また、ダクトには、開口を開閉するための蓋が設けられる。蓋は、安価なクレセント錠によって施錠されることが多い。
【０００６】
保守員は、フィルタを交換する際に先ずクレセント錠を外さなければならない。保守員は、不安定な脚立等の上に乗ってフィルタの交換作業を行う。このため、クレセント錠を外す作業が困難な場合があった。例えば、フィルタを出し入れするための開口がダクトの側面に形成されている場合は、クレセント錠が上下に配置される。上側に配置されたクレセント錠に手が届かない場合、保守員は、天井裏に上って作業を行わなければならなかった。
【０００７】
この発明は、上述のような課題を解決するためになされた。この発明の目的は、クレセント錠を容易に解錠することができる解錠工具を提供することである。
【課題を解決するための手段】
【０００８】
この発明に係る解錠工具は、第１軸と、第１軸に対して斜め又は直角に配置された第２軸と、第１軸が回転すると、第１軸の回転方向に応じた方向に第２軸を回転させる変換手段と、第２軸の端部に設けられた解錠手段と、を備える。解錠手段は、第２軸が回転すると第２軸を中心に回転する第１押付部を備える。第１押付部は、第２軸がクレセント錠の回転軸に合わせて配置された状態で第２軸が第１方向に回転すると、クレセント錠の操作部をクレセント錠が解錠する方向に押し付ける。
【発明の効果】
【０００９】
この発明に係る解錠工具を用いることにより、クレセント錠を容易に解錠することができる。
【図面の簡単な説明】
【００１０】
【図１】ビル内部の構成を示す図である。
【図２】図１に示すＡ部の斜視図である。
【図３】図１に示すＡ部の拡大図である。
【図４】この発明の実施の形態１における解錠工具を示す斜視図である。
【図５】図４に示す解錠工具の断面図である。
【図６】解錠工具の解錠部を図４のＤ方向から見た図である。
【図７】図４に示す解錠工具の使用時の状態を示す図である。
【図８】解錠工具の他の例を示す図である。
【図９】図８に示す解錠工具の使用時の状態を示す図である。
【図１０】解錠工具の他の例を示す図である。
【図１１】図１０に示す解錠工具の使用時の状態を示す図である。
【図１２】図１０に示す解錠工具の使用時の状態を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、ビル内部の構成を示す図である。図２は図１に示すＡ部の斜視図である。図３は図１に示すＡ部の拡大図である。
オフィスビル等では、空調のためのダクト１が天井裏に設置される。図１は、ビルの躯体２から吊り天井３が吊り下げられている例を示す。ダクト１は、躯体２と吊り天井３との間に配置される。ダクト１の内部には、予め定められた部位にフィルタ４が設けられる。
【００１３】
フィルタ４は、ダクト１の内部を通過する空気から塵埃を除去するために備えられる。空気がフィルタ４を通過する際に、その空気に含まれる塵埃がフィルタ４に捕集される。吊り天井３に、点検口５が形成される。点検口５は、フィルタ４の下方に形成される。点検口５は、点検扉６によって開閉される。保守員は、点検扉６を開け、点検口５からフィルタ４の交換作業を行う。
【００１４】
ダクト１に、フィルタ４を出し入れするための開口７が形成される。図１及び図２に示す例では、ダクト１の側面に開口７が形成される。フィルタ４の交換時、フィルタ４は側方に引き出される。開口７は、蓋８によって開閉される。蓋８は、例えば、一側の縁部が蝶番９によってダクト１の側面に固定される。蓋８の他側の縁部に、２つのクレセント錠１０が設けられる。蓋８は、クレセント錠１０によって施錠される。
【００１５】
クレセント錠１０を設置する個数は、上記例に限定されない。１つのクレセント錠１０によって蓋８を施錠しても良い。蓋８が大きい場合は、３つ以上のクレセント錠１０によって蓋８を施錠しても良い。
【００１６】
クレセント錠１０は、図３に示すように、回転軸１０ａ、掛け金１０ｂ、操作部１０ｃ及び受け金１０ｄを備える。受け金１０ｄは、ダクト１の側面のうち開口７に隣接する部分に設けられる。掛け金１０ｂは、回転軸１０ａによって蓋８に回転可能に設けられる。即ち、掛け金１０ｂは回転軸１０ａを中心に回転する。操作部１０ｃは掛け金１０ｂから突出し、掛け金１０ｂに一体的に設けられる。操作部１０ｃは、クレセント錠１０を施錠及び解錠する際に操作する部分である。
【００１７】
掛け金１０ｂが一方向（図３に示すＢ方向）に回転すると、掛け金１０ｂが受け金１０ｄに掛かる。これにより、クレセント錠１０が施錠される。掛け金１０ｂが他方向（図３に示すＣ方向）に回転すると、掛け金１０ｂが受け金１０ｄから外れる。これにより、クレセント錠１０が解錠される。クレセント錠１０が施錠された状態では、回転軸１０ａはダクト１の側面に直交するように配置される。
【００１８】
次に、クレセント錠１０を解錠するための解錠工具１１について説明する。
保守員は、フィルタ４を交換する際に先ずクレセント錠１０を外す必要がある。保守員は、例えば、不安定な脚立の上に乗ってフィルタ４の交換作業を行わなければならない。このような場合に、保守員は解錠工具１１を使用してクレセント錠１０を解錠する。
【００１９】
図４はこの発明の実施の形態１における解錠工具１１を示す斜視図である。図５は図４に示す解錠工具１１の断面図である。解錠工具１１は、軸１２、軸１３、変換部１４、カバー１５及び解錠部１６を備える。図６は解錠工具１１の解錠部１６を図４のＤ方向から見た図である。
【００２０】
軸１２は、例えば、細長い棒状を呈する。軸１２は、一端部に操作部１２ａを備える。操作部１２ａは、クレセント錠１０を解錠する際に保守員が操作する部分である。
【００２１】
軸１３は、例えば、軸１２より短い棒状を呈する。軸１３は、軸１２に対してある一定の角度を有するように配置される。図４及び図５に示す例では、軸１３が軸１２に対して直角に配置される。軸１３は、軸１２に対して鋭角（或いは、鈍角）になるように斜めに配置されても良い。
【００２２】
変換部１４は、軸１２の回転を軸１３に伝える。図５では、一対のかさ歯車１４ａ及び１４ｂによって変換部１４の機能を実現する場合を一例として示している。軸１２の他端部に、かさ歯車１４ａが設けられる。軸１３の一端部に、かさ歯車１４ｂが設けられる。かさ歯車１４ａとかさ歯車１４ｂとは互いに噛み合い、力を伝える。このため、軸１２が回転すると、軸１２の回転方向に応じた方向に軸１３が回転する。変換部１４の機能を実現する手段は、これに限定されない。他の方法によって軸１２の回転を軸１３に伝えても良い。
【００２３】
軸１２の他端部側、変換部１４及び軸１３の一端部側は、カバー１５によって覆われる。
【００２４】
解錠部１６は、クレセント錠１０に実際に接触する部分である。解錠部１６は、軸１３の他端部に設けられる。解錠部１６は軸１３とともに回転する。解錠部１６は、例えば、押付部１６ａ、押付部１６ｂ、支持部１６ｃ及び案内部１６ｄを備える。
【００２５】
支持部１６ｃは、例えば円盤状を呈する。押付部１６ａ、押付部１６ｂ及び案内部１６ｄは、支持部１６ｃに設けられる。支持部１６ｃの裏面の中央部に、軸１３の他端部が固定される。軸１３は、支持部１６ｃに対して垂直に配置される。このため、軸１３が回転すると、押付部１６ａ、押付部１６ｂ及び案内部１６ｄは軸１３を中心に軸１３の回転方向に応じた方向に回転する。
【００２６】
押付部１６ａは、例えば板状を呈する。押付部１６ａは、支持部１６ｃの表面から突出するように支持部１６ｃに対して垂直に配置される。押付部１６ｂは、例えば板状を呈する。押付部１６ｂは、支持部１６ｃの表面から突出するように支持部１６ｃに対して垂直に配置される。押付部１６ａ及び押付部１６ｂは、平行に配置され、一定の間隔を空けて互いに対向する。押付部１６ａ及び押付部１６ｂは、押付部１６ａと押付部１６ｂとの間に挟まれた空間の延長線上に支持部１６ｃの中央部が位置するように、支持部１６ｃの縁部に並んで配置される。
【００２７】
案内部１６ｄは、支持部１６ｃの縁部に沿って設けられる。案内部１６ｄは、支持部１６ｃの表面から突出するように支持部１６ｃに対して垂直に配置される。
【００２８】
次に、解錠工具１１の使用方法について説明する。
図７は図４に示す解錠工具１１の使用時の状態を示す図である。保守員は、軸１２の操作部１２ａ或いはカバー１５を持ち、クレセント錠１０が解錠部１６によって隠れるように解錠部１６を配置する。この時、軸１３をクレセント錠１０の回転軸１０ａに合わせて配置する。軸１３は、回転軸１０ａに対してほぼ一直線状に配置される。また、クレセント錠１０の操作部１０ｃを押付部１６ａと押付部１６ｂとの間に配置する。押付部１６ａは操作部１０ｃに一側から対向する。押付部１６ｂは、押付部１６ａが対向する方向とは反対の方向から操作部１０ｃに対向する。
【００２９】
解錠部１６を図７に示す状態に配置すると、保守員は、片手でカバー１５を、もう一方の手で軸１２の操作部１２ａを持ち、操作部１２ａを一方向（図７に示すＥ方向）に回転させる。軸１２がＥ方向に回ると、この回転が変換部１４によって変換され、軸１３及び解錠部１６が一方向（図７に示すＦ方向）に回転する。解錠部１６がＦ方向に回転すると、その回転の直後に押付部１６ａがクレセント錠１０の操作部１０ｃに一側から接触する。その状態から解錠部１６が更にＦ方向に回転すると、押付部１６ａが操作部１０ｃをＦ方向に押し付ける。これにより、操作部１０ｃが掛け金１０ｂとともに回転軸１０ａを中心に回転する。図７のＦ方向は、クレセント錠１０が解錠する方向である。このため、軸１２をＥ方向に回転させることにより、掛け金１０ｂを受け金１０ｄからから外すことができる。即ち、クレセント錠１０を解錠することができる。
【００３０】
解錠工具１１を使用することにより、クレセント錠１０を容易に解錠することができる。フィルタ４を出し入れするための開口７がダクト１の側面に形成されている場合は、図２に示すようにクレセント錠１０が上下に配置される。上側に配置されたクレセント錠１０に手が届かない場合であっても、保守員は天井裏に上ることなくフィルタ４の交換作業を行うことができる。吊り天井３には十分な強度が確保されていないことが多い。解錠工具１１を使用してクレセント錠１０の解錠を行えば、吊り天井３の破損を防止できる。
【００３１】
また、解錠工具１１を使用してクレセント錠１０を施錠することも可能である。クレセント錠１０を施錠する場合、保守員は、クレセント錠１０が解錠部１６によって隠れるように解錠部１６を配置する。この時、軸１３をクレセント錠１０の回転軸１０ａに合わせて配置する。また、クレセント錠１０の操作部１０ｃを押付部１６ａと押付部１６ｂとの間に配置する。
【００３２】
次に、保守員は、操作部１２ａを解錠時に回した方向とは反対の方向（図７に示すＧ方向）に回転させる。これにより、軸１３及び解錠部１６が解錠時に回転した方向とは反対の方向（図７に示すＨ方向）に回転する。解錠部１６がＨ方向に回転すると、その回転の直後に押付部１６ｂがクレセント錠１０の操作部１０ｃに接触する。その状態から解錠部１６が更にＨ方向に回転すると、押付部１６ｂが操作部１０ｃをＨ方向に押し付ける。これにより、操作部１０ｃが掛け金１０ｂとともに回転軸１０ａを中心に回転する。図７のＨ方向は、クレセント錠１０が施錠する方向である。このため、軸１２をＧ方向に回転させることにより、掛け金１０ｂを受け金１０ｄに掛けることができる。即ち、クレセント錠１０を施錠することができる。
【００３３】
本実施の形態では、蓋８に設けられたクレセント錠１０を解錠及び施錠する場合について説明した。解錠工具１１を使用して他の場所に設けられたクレセント錠を解錠及び施錠しても良い。軸１２を伸縮可能な構成にすれば、クレセント錠が設置されている高さに合わせて軸１２の長さを調節できる。軸１３を伸縮可能な構成にすれば、奥まった場所に設けられたクレセント錠を解錠及び施錠できる。なお、解錠工具１１は解錠機能のみ備えていても良い。
【００３４】
操作部１０ｃ（掛け金１０ｂ）を僅かに回転させただけでは、クレセント錠１０を解錠することはできない。このため、解錠部１６は、掛け金１０ｂを受け金１０ｄから外すことができる程度に回転できなければならない。解錠部１６は、例えば１８０度以上回転することが好ましい。クレセント錠１０の向きに解錠部１６を合わせて配置することを考慮すると、解錠部１６は３６０度以上回転することが更に好ましい。
【００３５】
図８は解錠工具１１の他の例を示す図である。図８に示す解錠工具１１は、解錠部１６の構成が図４に示す解錠工具１１の構成と相違する。他の構成は、図４に示す解錠工具１１の構成と同じである。図８は、解錠工具１１の解錠部１６を図４のＤ方向に相当する方向から見た図である。
【００３６】
図８に示す解錠工具１１は、解錠部１６が押付部１６ｅと支持部１６ｆとを備える。押付部１６ｅは、押付部１６ａと同じ構成及び機能を有する。支持部１６ｆは、例えばＬ字状を呈する板材からなる。支持部１６ｆは、一端部が軸１３の他端部に固定される。押付部１６ｅは、支持部１６ｆの他端部に設けられる。図８に示すように、支持部１６ｆの一部と押付部１６ｅとを押付部１６ａ及び押付部１６ｂの位置関係と同じ位置関係に配置すれば、図８に示す解錠工具１１でもクレセント錠１０の解錠機能と施錠機能との双方を備えることができる。
【００３７】
図９は、図８に示す解錠工具１１の使用時の状態を示す図である。
保守員は、軸１３をクレセント錠１０の回転軸１０ａに合わせて配置し、クレセント錠１０の操作部１０ｃを押付部１６ｅと支持部１６ｆとの間に配置する。押付部１６ｅは操作部１０ｃに一側から対向する。支持部１６ｆの一部は、押付部１６ｅが対向する方向とは反対の方向から操作部１０ｃに対向する。
【００３８】
解錠部１６を図９に示す状態に配置すると、保守員は、操作部１２ａを一方向（図９に示すＪ方向）に回転させる。これにより、軸１３及び解錠部１６が一方向（図９に示すＫ方向）に回転する。解錠部１６がＫ方向に回転すると、その回転の直後に押付部１６ｅがクレセント錠１０の操作部１０ｃに一側から接触する。その状態から解錠部１６が更にＫ方向に回転すると、押付部１６ｅが操作部１０ｃをＫ方向に押し付ける。これにより、操作部１０ｃが掛け金１０ｂとともに回転軸１０ａを中心に回転する。図９のＫ方向は、クレセント錠１０が解錠する方向である。このため、軸１２をＪ方向に回転させることにより、掛け金１０ｂを受け金１０ｄからから外すことができる。即ち、クレセント錠１０を解錠することができる。
【００３９】
クレセント錠１０を施錠する場合は、軸１２をＪ方向とは反対の方向に回転させれば良い。
【００４０】
図１０は解錠工具１１の他の例を示す図である。図１０に示す解錠工具１１は、軸１３の先端部にフィルタ引出具１７が設けられる。フィルタ引出具１７は、フィルタ４をダクト１の内部から引き出すためのものである。フィルタ引出具１７は、例えば先端部が先細状を呈する。フィルタ引出具１７の先端部は、鉤状を呈していても良い。
【００４１】
図１０は、軸１３の先端部にフィルタ引出具１７が取り付けられた状態を示す。即ち、解錠部１６は、軸１３の先端部に着脱可能に構成される。同様に、フィルタ引出具１７は軸１３の先端部に着脱可能に構成される。保守員は、軸１３の先端部に解錠部１６を取り付けた解錠工具１１によってクレセント錠１０を解錠する。その後、保守員は、解錠部１６を軸１３から取り外し、フィルタ引出具１７を軸１３の先端部に取り付ける。
【００４２】
図１１及び図１２は、図１０に示す解錠工具１１の使用時の状態を示す図である。
保守員は、クレセント錠１０を解錠して蓋８を開けると、フィルタ４と開口７を形成するダクト１の縁部との間にフィルタ引出具１７が取り付けられた解錠工具１１を挿入する。この時、フィルタ引出具１７がフィルタ４或いは上記縁部に引っ掛かることがないように、フィルタ引出具１７を上方或いは下方に向けておく。解錠工具１１を図１１に示すＬ方向に挿入した後、フィルタ引出具１７がフィルタ４の方向を向くように解錠工具１１をＭ方向に回転させる。これにより、フィルタ引出具１７がフィルタ４の枠４ａ或いは格子４ｂに掛かる。保守員は、この状態で解錠工具１１をＬ方向とは反対の方向（図１２に示すＮ方向）に移動させ、フィルタ４をダクト１の内部から引き出す。
【００４３】
上記構成を有する解錠工具１１を使用すれば、フィルタ４の交換作業を容易に行うことができる。なお、軸１３の先端部を先細状或いは鉤状に形成しておき、解錠部１６を軸１３から取り外すと図１０に示すような形状が現れるように構成しても良い。
【符号の説明】
【００４４】
１  ダクト、  ２  躯体、  ３  吊り天井、  ４  フィルタ、  ４ａ  枠、  ４ｂ  格子、  ５  点検口、  ６  点検扉、  ７  開口、  ８  蓋、  ９  蝶番、  １０  クレセント錠、  １０ａ  回転軸、  １０ｂ  掛け金、  １０ｃ  操作部、  １０ｄ  受け金、  １１  解錠工具、  １２  軸、  １２ａ  操作部、  １３  軸、  １４  変換部、  １４ａ  かさ歯車、  １４ｂ  かさ歯車、  １５  カバー、  １６  解錠部、  １６ａ  押付部、  １６ｂ  押付部、  １６ｃ  支持部、  １６ｄ  案内部、  １６ｅ  押付部、  １６ｆ  支持部、  １７  フィルタ引出具
【図１】
2016044389.tif 000003
【図２】
2016044389.tif 000004
【図３】
2016044389.tif 000005
【図４】
2016044389.tif 000006
【図５】
2016044389.tif 000007
【図６】
2016044389.tif 000008
【図７】
2016044389.tif 000009
【図８】
2016044389.tif 000010
【図９】
2016044389.tif 000011
【図１０】
2016044389.tif 000012
【図１１】
2016044389.tif 000013
【図１２】
2016044389.tif 000014